(57)【要約】【課題】電池残量の表示にあたり、繰り返して電池電圧を測定することが不要な情報端末を提供すること。【解決手段】電源の供給を受けて動作するＬＣＤバックライト１２およびＨＤＤ１４を有する情報端末が提供される。電圧検出回路４０は、ＬＣＤバックライト１２およびＨＤＤ１４への電池２０の供給前に電池２０の電池電圧を検出する。そして、ＣＰＵ１０において、前記情報端末の動作モードを判定し、この動作モードで動作する場合の電池２０への負荷および該動作モードでの動作時間から、電力消費を求める。そして、電池電圧と電力消費から、電池２０の電池残量を求める。【選択図】        図１
2006260382.tif 000002
【特許請求の範囲】
【請求項１】
充電電池からの電源の供給を受けて動作する駆動部を有する情報端末であって、
前記駆動部への電源の供給前に前記電池の電池電圧を検出する検出手段と、
前記情報端末の動作モードを判定する判定手段と、
前記判定手段によって判定された動作モードで動作する場合の前記電池への負荷および該動作モードでの動作時間から、電力消費を求める算出手段と、
前記電池電圧と、前記算出手段によって求められた電力消費から、前記電池の残量を求める測定手段と、
を備えることを特徴とする情報端末。
【請求項２】
前記情報端末の動作モードは、前記駆動部を動作することによって該情報端末において実現される情報処理の種類であって、前記算出手段は、前記情報処理の種類にしたがった負荷と該情報処理の実行にあたり経過した時間から、該情報処理による消費電力を求めることを特徴とする請求項１に記載の情報端末。
【請求項３】
前記情報端末の動作モードは、前記駆動部の動作の種類であって、前記算出手段は、前記駆動部の動作の種類にしたがった負荷と該駆動部が動作した時間から、該駆動部による消費電力を求めることを特徴とする請求項１または２に記載の情報端末。
【請求項４】
前記算出手段は、前記電池への負荷と前記動作モードでの動作時間を掛け合わせることにより前記消費電力を求めることを特徴とする請求項１〜３のいずれか一つに記載の情報端末。
【請求項５】
前記算出手段は、満充電の場合の電池残量から前記検出手段によって検出された電池電圧に基づいた電池残量を差し引くことにより電力消費の初期値を求め、該初期値に、前記電池への負荷と前記動作モードでの動作時間を掛け合わせた値を加えることにより前記電力消費を求めることを特徴とする請求項４に記載の情報端末。
【請求項６】
温度を検出する温度検出手段をさらに備え、前記算出手段は、前記温度検出手段によって検出された温度および前記検出手段によって検出された電池電圧に基づいた値を、満充電の場合の電池残量から差し引くことによって前記電池残量の初期値を求めることを特徴とする請求項５に記載の情報端末。
【請求項７】
前記測定手段によって測定される電池残量を示す情報をディスプレイ上に表示する表示手段を備えることを特徴とする請求項１〜６のいずれか一つに記載の情報端末。
【請求項８】
充電電池からの電源の供給を受けて動作する駆動部を有する情報端末の電池残量算出方法であって、
前記駆動部への電源の供給前に前記電池の電池電圧を検出する検出工程と、
前記情報端末の動作モードを判定する判定工程と、
前記判定工程によって判定された動作モードで動作する場合の前記電池への負荷および該動作モードでの動作時間から、電力消費を求める算出工程と、
前記電池電圧と、前記算出工程によって求められた電力消費から、前記電池の残量を求める測定工程と、
を含むことを特徴とする電池残量算出方法。
【発明の詳細な説明】
【技術分野】
【０００１】
この発明は、電池の残量を検出する機能を有する情報端末および電池残量算出方法に関する。
【背景技術】
【０００２】
電池を使用した小型の情報端末において、静止画および動画を扱うものが増えてきている。こうした小型の情報端末において、ハードディスクドライブなどの、負荷変動に大きな影響を及ぼす装置が搭載されるものが増えている。このような装置の駆動状態により、電池に対する負荷が大きく変動するようになってきている。
【０００３】
情報端末があとどのくらい使用できるかを推測するにあたり、電池残量の正確な表示は非常に重要である。電池残量を検出する方法として、電池の充放電電流を測定する方法が開示されている（たとえば、特許文献１、２参照）。また、電池電圧を測定する方法が開示されている（たとえば、特許文献３、４参照）。
【０００４】
【特許文献１】特開平５−６６２５１号公報
【特許文献２】特開平７−２６０８３９号公報
【特許文献３】特開平６−５１８７６号公報
【特許文献４】特開平１１−５５３７２号公報
【発明の開示】
【発明が解決しようとする課題】
【０００５】
しかし、充放電電流を測定する方法は、電流測定部や、その測定された電流のデータを格納する格納部、データから電池残量を算出するＣＰＵが必要となり、小型化、低コスト化を阻害する。したがって、小型の情報端末には向かない。
【０００６】
一方、電池電圧を測定する方法では、負荷が変動することにより取得される電池電圧が変化する。特に、負荷がある場合と負荷がない場合では、取得できる電池電圧の値が変わる。取得される電池電圧から電池残量が求められるので、同一の電池残量でも負荷の大きい場合と小さい場合で異なる電池残量が表示される。
【０００７】
したがって、負荷変動の大きな装置を内蔵する情報端末では、電池電圧を測定するたびに検出される電池残量が変化するので、検出される電池残量が不正確になりやすい。このように電池残量の表示が不正確であることにより、電池残量を適切に確認できなくなり、充電などによる電池残量の管理が適切にできなくなる。また、電池残量を検出するために、情報端末が稼動している間、何度も電池電圧を測定する必要があり、情報端末の処理に負担がかかるという問題も挙げられる。
【０００８】
この発明は、上述した従来技術による問題点を解消するため、電池残量の表示にあたり、繰り返して電池電圧を測定することが不要な情報端末を提供することを目的とする。
【課題を解決するための手段】
【０００９】
上述した課題を解決するため、本発明にかかる情報端末は、充電電池からの電源の供給を受けて動作する駆動部を有する情報端末であって、前記駆動部への電源の供給前に前記電池の電池電圧を検出する検出手段と、前記情報端末の動作モードを判定する判定手段と、前記判定手段によって判定された動作モードで動作する場合の前記電池への負荷および該動作モードでの動作時間から、電力消費を求める算出手段と、前記電池電圧と、前記算出手段によって求められた電力消費から、前記電池の残量を求める測定手段と、を備えることを特徴とする。
【００１０】
また、前記情報端末の動作モードは、前記駆動部を動作することによって該情報端末において実現される情報処理の種類であって、前記算出手段は、前記情報処理の種類にしたがった負荷と該情報処理の実行にあたり経過した時間から、該情報処理による消費電力を求めてもよい。
【００１１】
また、前記情報端末の動作モードは、前記駆動部の動作の種類であって、前記算出手段は、前記駆動部の動作の種類にしたがった負荷と該駆動部が動作した時間から、該駆動部による消費電力を求めてもよい。
【００１２】
また、前記算出手段は、前記電池への負荷と前記動作モードでの動作時間を掛け合わせることにより前記消費電力を求めてもよい。
【００１３】
また、前記算出手段は、満充電の場合の電池電圧から前記検出手段によって検出された電池電圧を差し引くことにより電力消費の初期値を求め、該初期値に、前記電池への負荷と前記動作モードでの動作時間を掛け合わせた値を加えることにより前記電力消費を求めてもよい。
【００１４】
また、温度を検出する温度検出手段をさらに備え、前記算出手段は、前記温度検出手段によって検出された温度および前記検出手段によって検出された電池電圧に基づいた値を、満充電の場合の電池残量から差し引くことによって前記電池残量の初期値を求めてもよい。
【００１５】
また、前記測定手段によって測定される電池残量をディスプレイ上に表示する表示手段を備えてもよい。
【００１６】
また、本発明にかかる電池残量算出方法は、充電電池からの電源の供給を受けて動作する駆動部を有する情報端末の電池残量算出方法であって、前記駆動部への電源の供給前に前記電池の電池電圧を検出する検出工程と、前記情報端末の動作モードを判定する判定工程と、前記判定工程によって判定された動作モードで動作する場合の前記電池への負荷および該動作モードでの動作時間から、電力消費を求める算出工程と、前記電池電圧と、前記算出工程によって求められた電力消費から、前記電池の残量を求める測定工程と、を含むことを特徴とする。
【発明を実施するための最良の形態】
【００１７】
以下に添付図面を参照して、この発明にかかる情報端末および電池残量算出方法の好適な実施例を詳細に説明する。
【００１８】
（実施例１）
図１は、情報端末の構成の一例を説明するブロック図である。この図１に示すように、情報端末は、ＣＰＵ１０と、ＬＣＤバックライト１２と、ＨＤＤ（ハードディスクドライブ）１４と、表示部１８とを備えて構成される。
【００１９】
また、この情報端末は、電池２０を内蔵しており、この電池２０から供給された電源は、ＤＣ／ＤＣコンバータ２２を介して駆動部に供給される。すなわち、電源は、ＣＰＵ１０とＬＣＤバックライト１２とハードディスクドライブ１４と表示部１８に供給される。すなわち電源は、ＤＣ／ＤＣコンバータ２２で安定化されたり、変圧されたりした電圧として供給される。ＣＰＵ１０は、内部に、ＡＤ変換器３０と、ＲＡＭ３２と、ＲＯＭ３４とを備える。
【００２０】
また、この情報端末は、電圧検出回路４０も備える。この電圧検出回路は、電池２０とＤＣ／ＤＣコンバータ２２との間の電圧を検出し、検出した値を電池電圧として、ＣＰＵ１０のＡＤ変換器３０に供給する。ＣＰＵ１０では、この検出した値をデジタルデータに変換して、ＣＰＵ１０に取り込む。
【００２１】
電池２０は温度検出回路４２を内蔵している。この温度検出回路４２は、例えば、サーミスタにより構成されており、この温度検出回路４２のアナログ信号の出力は、ＡＤ変換器３０に入力され、デジタルデータとして、ＣＰＵ１０に取り込まれる。
【００２２】
本体起動時には、ＣＰＵ１０、ＨＤＤ１４、ＬＣＤバックライト１２に電源を供給する前に、電源を電池電圧測定に必要な機能部から供給する。電圧検出回路４０は、電池電圧を、ＨＤＤ１４、ＬＣＤバックライト１２など、負荷の大きいデバイスの起動前に測定する。電池電圧測定時には、負荷の大きいデバイスは起動していないので、起動毎に同じ負荷で電池電圧を測定することができる。測定された電圧は、プロセッサのＡ／Ｄ変換器３０でデジタル化される。
【００２３】
図２は、動作モード別の定常負荷による平均消費電流を説明する説明図である。この情報端末には、ＵＳＢデータ転送、静止画再生（スライドショー）、動画再生、の動作モードがあり、それぞれの動作モードの定常負荷による平均消費電流が説明される。この機器で、動画再生３０分とスライドショー３０分を行うと消費電力は以下のようになる。
【００２４】
動画再生においては、４５０（ｍＡ）×０．５（ｈ）＝２２５（ｍＡｈ）である。スライドショーにおいては、４００（ｍＡ）×０．５（ｈ）＝２００（ｍＡｈ）である。そして合計で、２２５＋２００＝４２５（ｍＡｈ）となる。
【００２５】
図３は、本体起動時の放電特性を示すグラフである。本体起動時の放電電流の電流値は０．４６Ａであり、この電流値に対する放電特性の放電カーブが図３に示されている。電池２０の放電特性は実測やメーカーからの資料により予め知ることができる。電池２０が満充電だった時点から、上記のモードで使用した後は、消費電力は４２５（ｍＡｈ）である。この４２５（ｍＡｈ）に対応する電池電圧を、この放電カーブを参照して確認すると、電池電圧は３．９Ｖ程度になっている。
【００２６】
情報端末の全てのデバイスの電源を入れた後、アイコンによって電池２０の残容量を表示する。また、動作モードと経過時間を参照することで消費電力を求め、それにより電池残量を求めることができる。この電池残量は、たとえば３つの状態に分けることができる。３つの状態は、電池残量の多いものから少ないものまで、それぞれアイコン１〜３で表示することができる。
【００２７】
電池残量とアイコンの関係を図３の下部に示す。消費電力０〜８００（ｍＡｈ）のときは、アイコン１で示される。消費電力８００〜２０００（ｍＡｈ）のときは、アイコン２で示される。消費電力２０００〜２４００（ｍＡｈ）のときは、アイコン３で示される。
【００２８】
図４は、電池残量を示すアイコンの表示例を説明する説明図である。アイコンによって電池残量を表示することにより、使用者にとって電池残量が明確に分かるようになり、適切な電池残量の管理ができるようになる。なお、電池残量の表示方法は、図４に示したアイコンによる表示に限定されない。たとえば、図４に示した３種類のアイコンではなく、５種類、１０種類といったより多くの種類のアイコンを使って表示することができる。また、アイコンではなく、棒グラフを使って棒グラフの長さによって電池残量を表示することができる。また、電池残量の実際の数字を、たとえば１００％、７０％といった形で表示することもできる。
【００２９】
図５は、電源起動時の電池残量表示処理のフローチャートである。まず、電池電圧測定に必要な部分に電源を投入する（ステップＳ５０１）。次に、電圧検出回路４０は、電池電圧を測定する（ステップＳ５０２）。そして、電池放電量Ｃを算出する（ステップＳ５０３）。電池放電量Ｃは、満充電状態の電圧から、測定された電池電圧の差分を取ることにより、算出することができる。そして、全体に電源を投入する（ステップＳ５０４）。
【００３０】
次に、起動時のＣが、０≦Ｃ＜８００の範囲内にあるか否かを判定する（ステップＳ５０５）。Ｃが範囲内にある場合（ステップＳ５０５：Ｙｅｓ）、表示部１８はアイコン１を表示し（ステップＳ５０６）、一連の処理を終了する。
【００３１】
Ｃが範囲内にない場合（ステップＳ５０５：Ｎｏ）、起動時のＣが、８００≦Ｃ＜２０００の範囲内にあるか否かを判定する（ステップＳ５０７）。Ｃが範囲内にある場合（ステップＳ５０７：Ｙｅｓ）、表示部１８はアイコン２を表示し（ステップＳ５０８）、一連の処理を終了する。
【００３２】
Ｃが範囲内にない場合（ステップＳ５０７：Ｎｏ）、起動時のＣは、２０００≦Ｃの範囲内にあることになるので、表示部１８はアイコン３を表示し（ステップＳ５０９）、一連の処理を終了する。
【００３３】
たとえば、起動時に電池電圧を測定した結果、４．２Ｖであることが検出されたとする。この電圧は図３のグラフを参照することにより、満充電状態が表示される。満充電であるので、電池放電量Ｃは０となる。なお、この一連の電源起動時の電池残量表示処理が終了した後、全体に電源が投入されて電池残量が変化する。そこで、次に、この本体が動作しているときの電池残量表示処理に移行する。
【００３４】
図６は、機器の動作モードに対応する電池残量表示処理のフローチャートである。まず、動作モードを判定する（ステップＳ６０１）。次に１秒待機し（ステップＳ６０２）、消費容量Ｌを算出する（ステップＳ６０３）。すなわち、１秒ごとに動作モードに相当する消費容量Ｌを電池放電量Ｃに加える。情報端末の動作モードとして、例えば動画再生を行うと、毎秒４５０／３６００（ｍＡｈ）の容量が消費されるので、消費電力Ｌを毎秒４５０／３６００（ｍＡｈ）ずつ加えてＬの値を更新する。なお、途中でユーザー操作によりモードが変更された場合は、変更後のモードに対応させて、消費容量Ｌを該当する値に変更する。
【００３５】
次に、０≦Ｃ＋Ｌ＜８００の範囲内にあるか否かを判定する（ステップＳ６０４）。Ｃ＋Ｌが範囲内にある場合（ステップＳ６０４：Ｙｅｓ）、表示部１８はアイコン１を表示し（ステップＳ６０５）、ステップＳ６０９に進む。
【００３６】
Ｃ＋Ｌが範囲内にない場合（ステップＳ６０４：Ｎｏ）、８００≦Ｃ＋Ｌ＜２０００の範囲内にあるか否かを判定する（ステップＳ６０６）。Ｃ＋Ｌが範囲内にある場合（ステップＳ６０６：Ｙｅｓ）、表示部１８はアイコン２を表示する（ステップＳ６０７）。すなわち、Ｃ＋Ｌの値が８００ｍＡｈを超えたところでアイコン１からアイコン２へ遷移する。そして、ステップＳ６０９に進む。
【００３７】
Ｃ＋Ｌが範囲内にない場合（ステップＳ６０６：Ｎｏ）、２０００≦Ｃ＋Ｌの範囲内にあることになるので、表示部１８はアイコン３を表示する（ステップＳ６０８）。すなわち、Ｃ＋Ｌの値が２０００ｍＡｈを超えたところでアイコン２からアイコン３へ遷移する。次に、電源が切断されるか否かを判定し（ステップＳ６０９）、電源が切断される場合（ステップＳ６０９：Ｙｅｓ）、一連の処理を終了する。電源が切断されない場合（ステップＳ６０９：Ｎｏ）、ステップＳ６０２に戻る。
【００３８】
（実施例２）
実施例１では、動作モードごとに消費電力を求めたが、接続される駆動部の動作に着目して消費電力を求めることもできる。すなわち、ＬＣＤバックライト１２およびＨＤＤ１４などの駆動部にかかる負荷から消費電力を求めることにより、電池残量を算出する。この実施例の情報端末の構成は、図１と同じである。
【００３９】
電池残量は、情報端末の全てのデバイスの電源を入れた後、図４に示したアイコンによって表示する。放電特性については図３に説明した通りであり、電池残量とアイコンの関係は図３の下部の通りである。
【００４０】
図７は、ＬＣＤバックライト輝度と電流値の関係を説明する説明図である。ここでは、ＬＣＤバックライト１２の輝度に対して、このとき流れるバックライト電流値をｍＡ単位で示している。
【００４１】
図８は、ＨＤＤの動作モードと電流値の関係を説明する説明図である。Ｉｄｌｅ（アイドル）、すなわちアクセスされていないときの動作電流値が６００ｍＡで、Ａｃｃｅｓｓ（アクセス）、すなわちアクセスしているときの動作電流値が１９０ｍＡであることを示している。
【００４２】
ここで、ある使用状態で１時間使用し、その時以下のデバイスの使用積算時間が、ＨＤＤ１４がＩｄｌｅの時間が４５分で、Ａｃｃｅｓｓの時間が１５分である。一方、バックライト輝度では、１００％の時間が３０分で、５０％の時間が３０分である。このようにＣＰＵ１０に通知される。ここではＬＣＤバックライト１２とＨＤＤ１４が接続されている場合について説明するが、より多くのデバイスを接続し、接続したデバイスの負荷を求めてもよい。この場合、消費電力は以下のようになる。
【００４３】
図７より、ＬＣＤバックライト１２については、１００（ｍＡ）×０．５（ｈ）＋５０（ｍＡ）×０．５（ｈ）＝７５（ｍＡｈ）となる。図８より、ＨＤＤ１４については、６００（ｍＡ）×０．２５（ｈ）＋１９０（ｍＡ）×０．７５（ｈ）＝２９２．５（ｍＡｈ）。合計で、７５＋２９２．５＝３６７．５（ｍＡｈ）となる。
【００４４】
電池電圧初期値が３．８６（Ｖ）と計測されていた場合、図３で説明した電池の放電特性によって示される放電カーブから、消費電力は８００（ｍＡｈ）程度である。ここで、上記のモードで使用後には、８００＋３６７．５＝１１６７．５（ｍＡｈ）となる。その結果、電池電圧は３．７８Ｖ程度になっていると求められる。
【００４５】
図９は、部品の動作モードに対応する電池残量表示処理のフローチャートである。図５において説明した電源起動時の電池残量表示処理の終了後、本処理を開始する。したがって、電池放電量Ｃはすでに測定されており、本体には電源が供給されている。
【００４６】
まず、情報端末は、ＨＤＤ稼働率を取得する（ステップＳ９０１）。ＨＤＤ１４は、アクセスをしているかどうかを示すアクセス信号をＣＰＵ１０に出力している。このためＣＰＵ１０はこのアクセス信号を取得して、ＨＤＤ１４がアクセス中の時間と、アクセス以外の時間を算出できる。
【００４７】
次に、情報端末は、ＬＣＤバックライト１２の設定値を取得する（ステップＳ９０２）。ＣＰＵ１０は、ＬＣＤバックライト１２の輝度を制御する信号をＬＣＤバックライト１２に出力している。このため、この信号に基づいて、ＣＰＵ１０はＬＣＤバックライト１２の設定値を把握することができる。本実施例では、ＬＣＤバックライト１２の設定値は、０％〜１００％の間で１０％刻みに設定することができるよう構成されている。
【００４８】
次に、１秒待機し（ステップＳ９０３）、ＨＤＤ１４による消費電力Ｌ１を求め（ステップＳ９０４）、ＬＣＤバックライト１２による消費電力Ｌ２を求める（ステップＳ９０５）。Ｌ１、Ｌ２は１秒ごとに算出される。
【００４９】
次に、０≦Ｃ＋Ｌ１＋Ｌ２＜８００の範囲内にあるか否かを判定する（ステップＳ９０６）。Ｃ＋Ｌ１＋Ｌ２が範囲内にある場合（ステップＳ９０６：Ｙｅｓ）、表示部１８はアイコン１を表示し（ステップＳ９０７）、ステップＳ９１１に進む。
【００５０】
Ｃ＋Ｌ１＋Ｌ２が範囲内にない場合（ステップＳ９０６：Ｎｏ）、８００≦Ｃ＋Ｌ１＋Ｌ２＜２０００の範囲内にあるか否かを判定する（ステップＳ９０８）。Ｃ＋Ｌ１＋Ｌ２が範囲内にある場合（ステップＳ９０８：Ｙｅｓ）、表示部１８はアイコン２を表示する（ステップＳ９０９）。すなわち、Ｃ＋Ｌ１＋Ｌ２の値が８００ｍＡｈを超えたところでアイコン１からアイコン２へ遷移する。そして、ステップＳ９１１に進む。
【００５１】
Ｃ＋Ｌ１＋Ｌ２が範囲内にない場合（ステップＳ９０８：Ｎｏ）、２０００≦Ｃ＋Ｌ１＋Ｌ２の範囲内にあることになるので、表示部１８はアイコン３を表示する（ステップＳ９１０）。すなわち、Ｃ＋Ｌ１＋Ｌ２の値が２０００ｍＡｈを超えたところでアイコン２からアイコン３へ遷移する。次に、電源が切断されるか否かを判定し（ステップＳ９１１）、電源が切断される場合（ステップＳ９１１：Ｙｅｓ）、一連の処理を終了する。電源が切断されない場合（ステップＳ９１１：Ｎｏ）、ステップＳ９０３に戻る。
【００５２】
（実施例３）
また、電池電圧は温度による影響を受ける。このため温度の差を補正するように情報端末を構成する。温度検出回路４２の検出結果はデジタルデータとして、ＣＰＵ１０に取り込まれているため、ＣＰＵ１０は電池温度を把握している。ここで、この電池温度を考慮した情報端末の電池残量の測定について説明する。この実施例の情報端末の構成は、図１と同じである。
【００５３】
図１０は、電圧測定結果に温度のパラメータを加味した放電特性のグラフである。温度が４０℃の場合、２０℃の場合、０℃の場合、−１０℃の場合、−２０℃の場合のそれぞれについてグラフで示しており、温度が高いものほど電池電圧が高い。起動時の電池電圧が４．０Ｖであったと検出された場合、このグラフから、温度が４０℃の場合は、既に放電している容量は４００ｍＡｈである。また、−１０℃の場合は、既に放電している容量は５０ｍＡｈである。このように、温度によって、用いられる放電特性のグラフは異なるものとなる。そして、測定温度に従ってグラフを選択した後の処理は、実施例１と同じである。
【００５４】
たとえば、情報端末起動時に取得した電池電圧が３．９Ｖであり、そのときの温度が２０℃であったとする。この場合は図１０より６００ｍＡｈが放電済みであることがわかる。そして、情報端末起動後に、アイコン１が表示される。
【００５５】
以上のように、電源投入後は、負荷の大きさを算出して、負荷の大きさと経過時間から消費電力を算出することができる。その結果、電池電圧は、電源投入時に測定しておけば、あとはそのときに求められた電池残量から差し引くことにより、その時点での電池残量を求めることができる。それにより、電源投入後に再度の電池電圧の測定が不要となり、電池電圧の測定を繰り返すことによる情報端末の処理負担を抑制することができる。また、電池残量の測定が、電池電圧の測定精度に左右されないので、電池残量をより正確に測定することができ、電池残量をより適切に管理することができる。
【図面の簡単な説明】
【００５６】
【図１】情報端末の構成の一例を説明するブロック図。
【図２】動作モード別の定常負荷による平均消費電流を説明する説明図。
【図３】本体起動時の放電特性を示すグラフ。
【図４】電池残量を示すアイコンの表示例を説明する説明図。
【図５】電源起動時の電池残量表示処理のフローチャート。
【図６】機器の動作モードに対応する電池残量表示処理のフローチャート。
【図７】ＬＣＤバックライト輝度と電流値の関係を説明する説明図。
【図８】ＨＤＤの動作モードと電流値の関係を説明する説明図。
【図９】部品の動作モードに対応する電池残量表示処理のフローチャート。
【図１０】電圧測定結果に温度のパラメータを加味した放電特性のグラフ。
【符号の説明】
【００５７】
１０  ＣＰＵ、１２  ＬＣＤバックライト、１４  ＨＤＤ、１８  表示部、２０  電池、２２  ＤＣ/ＤＣコンバータ、３０  ＡＤ変換器、３２  ＲＡＭ、３４  ＲＯＭ、４０  電圧検出回路、４２  温度検出回路
【図１】
2006260382.tif 000003
【図２】
2006260382.tif 000004
【図３】
2006260382.tif 000005
【図４】
2006260382.tif 000006
【図５】
2006260382.tif 000007
【図６】
2006260382.tif 000008
【図７】
2006260382.tif 000009
【図８】
2006260382.tif 000010
【図９】
2006260382.tif 000011
【図１０】
2006260382.tif 000012